(57)【要約】      （修正有）【課題】ラジウム鉱石などの効能物と実際に接触する浴槽の水の量を多くし健康浴効果を高めると共に、効能物の清掃を容易にできる入浴器具を提供する。【解決手段】本入浴器具は、水中ポンプを内装し、浴槽内の水を汲み上げる揚水筒と、揚水筒上端に接続され、揚水筒で汲み上げた水を横方向に導き、汲み上げた水を浴槽内にその水面の上方から吐出する吐出口を有する横引き部と、横引き部にあって、揚水筒で汲み上げた水が吐出口から吐出される間に効能物に接触するように効能物を設置する設置部を有する。浴槽内の水が循環しながら効能物に接触するので効能物が浴槽内の水全体に作用して健康浴効果が高まり、効能物の設置や取り替え作業も容易である。【選択図】図１
0003154974.tif 000002
【実用新案登録請求の範囲】
【請求項１】
水中ポンプを内装し、浴槽内の水を汲み上げる揚水筒と、
該揚水筒上端に接続され、該揚水筒で汲み上げた水を横方向に導き、汲み上げた水を浴槽内にその水面の上方から吐出する吐出口を有する横引き部と、
該横引き部にあって、前記揚水筒で汲み上げた水が吐出口から吐出される間に効能物に接触するように該効能物を設置する設置部を有することを特徴とする入浴器具。
【請求項２】
前記水中ポンプを作動するための電池を収納する電池ボックスを備えた請求項１に記載の入浴器具。
【請求項３】
入浴器具の一部に永久磁石を固定し、浴槽に固定した吸磁性板に該永久磁石を磁力吸着させることで浴槽に装着する請求項１又は２に記載の入浴器具。
【請求項４】
下部に水中ポンプを内装した揚水筒の上端部を、その上端が開口するように基板に固定し、
該基板上面の前記揚水筒開口よりも浴槽内側方向を前記横引き部及び前記効能物を設置する設置部とし、
前記基板上面の浴槽外側方向に前記電池ボックスを固定し、
前記吐出口を有するカバーを前記揚水筒の開口及び前記設置部の全部又は一部を覆うように前記基板上に設け、
前記基板下面に前記永久磁石を設けた請求項３に記載の入浴器具。
【請求項５】
前記効能物がラジウム鉱石である請求項１〜４のいずれかに記載の入浴器具。
【考案の詳細な説明】
【技術分野】
【０００１】
本発明は、銭湯や家庭風呂において、水道水などの通常の水（湯）を、容易に健康的な水に変えて温泉効果を得ることができる入浴器具に関する。
【背景技術】
【０００２】
ラジウムはアルファ線（放射線）を出して、ラドンという気体に変わる。また、ラドンも放射線を出し、この放射線による刺激が細胞に与えられると、一部の細胞が損傷を受けるが、放射線が微量の場合には、放射線による刺激をきっかけに特定の遺伝子が活性化、または不活性化され、損傷を受けた部分を自己修復し、自己治癒力のアップにつながると考えられている。
また、微量の放射線はラジカルキャッチャーと呼ばれる抗酸化物質の生産を増加させて、増えすぎた活性酸素を取り除く働きをすると考えられている。
【０００３】
ラジウム鉱石をはじめとする数種類の鉱物やある種の植物（以下「効能物」と称する。）を風呂の水に接触させると、温泉効果に似た健康的な入浴ができるといわれている。
効能物を浴槽の水（湯）に接触させるには、下記特許文献に示されているように、効能物を透水性の容器に入れ、この容器を浴槽に沈めておく方法が一般的である。
【先行技術文献】
【特許文献】
【０００４】
【特許文献１】特開２００８−１８１５７号公報
【特許文献２】特開２００８−２７９０７５号公報
【考案の概要】
【考案が解決しようとする課題】
【０００５】
従来は、ラジウム鉱石、トルマリン鉱石、ゲルマニウム鉱石などの効能物を容器に入れて浴槽に沈めていたので、実際に効能物と接触する浴槽内の水の量はきわめて少ないものであり、効能物が浴槽全体に作用することがなく、その健康浴効果ははなはだ疑問であった。
また、湯垢など浴槽内の水の汚れで効能物の表面が汚れ、定期的に効能物を容器から取り出して洗浄する煩雑な作業が必要であった。
【０００６】
本考案は、効能物と実際に接触する水の量を多くして、効能物が浴槽内の水全体に作用するようにして健康浴効果を高めること、及び効能物の清掃を容易にできるようにすることを課題とするものである。
【課題を解決するための手段】
【０００７】
本考案は、水中ポンプを内装し、浴槽内の水を汲み上げる揚水筒と、
該揚水筒上端に接続され、該揚水筒で汲み上げた水を横方向に導き、汲み上げた水を浴槽内にその水面の上方から吐出する吐出口を有する横引き部と、
該横引き部にあって、前記揚水筒で汲み上げた水が吐出口から吐出される間に効能物に接触するように該効能物を設置する設置部を有することを特徴とする入浴器具である。（請求項１）
【０００８】
揚水筒で浴槽から汲み上げた水が効能物に接触するので、浴槽内の水が循環しながら効能物に接触し、効能物に直接接触する水の量が非常に多くなり、効能物が浴槽内の水全体に作用し、健康浴効果が高まる。
また、効能物には常に流れている水が接触するので汚れにくく、万一汚れて清掃が必要になっても、効能物は揚水筒上端から吐出口の間の横引き部（すなわち吐出口の近く）に設置されているので、容易に取り出して清掃できる。また、効能物の設置や取り替え作業も容易である。
【０００９】
また本考案は、前記水中ポンプを作動するための電池を収納する電池ボックスを備えた請求項１に記載の入浴器具である。（請求項２）
【００１０】
水中ポンプを電池で作動させることで、電源コードが不要となり、本入浴器具を浴槽の任意の個所に設置できる。また、感電事故を防ぐことができる。
【００１１】
また本考案は、入浴器具の一部に永久磁石を固定し、浴槽に固定した吸磁性板（吸磁性ステンレス板など）に該永久磁石を磁力吸着させることで浴槽に装着する請求項１又は２に記載の入浴器具である。（請求項３）
【００１２】
本入浴器具を浴槽に磁石で固定することで、浴槽への取り付け、取り外しがワンタッチで容易となり、例えば浴槽を清掃する場合に容易に取り外し、清掃完了後に容易に取り付け直すことができる。
【００１３】
また本考案は、下部に水中ポンプを内装した揚水筒の上端部を、その上端が開口するように基板に固定し、該基板上面の前記揚水筒開口よりも浴槽内側方向を前記横引き部及び前記効能物を設置する設置部とし、前記基板上面の浴槽外側方向に前記電池ボックスを固定し、前記吐出口を有するカバーを前記揚水筒の開口及び前記設置部の全部又は一部を覆うように前記基板上に設け、前記基板下面に前記永久磁石を設けた請求項３に記載の入浴器具である。（請求項４）
本考案の入浴器具は、具体的には上記の構成とすることができる。
【００１４】
効能物としては、ラジウム鉱石、トルマリン鉱石、麦飯石などの鉱物、サルノコシカケ、ハーブ類などの植物が考えられるが、ラジウム鉱石が最も効果的である。（請求項５）
【００１５】
本考案において、設置部に設置されたラジウム鉱石中のラジウムは、崩壊してラドンを発生する。その一部は水に溶けて浴槽内に入り、その他は空中に発散する。水に溶けたラドンは温浴効果を高めて体を温めると共に、微量の放射線を出し、体外から入浴者に作用する。空中に発散したラドンは呼吸によって入浴者の体内に取り込まれ、体内（血液中）で微量の放射線を出して細胞に作用する。
また、ラジウム鉱石が水と接することで、鉱石中のラジウム塩（主に可溶性水酸化物）が水に溶け出し、浴槽内に送り込まれる。このラジウム塩も放射線を出してラドンに崩壊するが、その放射線が体外から入浴者に作用する。
このように、本考案の入浴器具は、ラジウム鉱石から出る微量の放射線を効率よく入浴者に作用させることができる。
【００１６】
例えば、放射線量４．０μＳｖ／ｈのラジウム鉱石を使用した本考案入浴器具を装着した風呂に毎日３０分入浴する場合、１年間の等価線量（生物が放射線を受けたときの影響を表す単位：Ｓｖ（シーベルト））は、
４．０（μＳｖ／ｈ）×３６５（日）×０．５（ｈ）＝７３０（μＳｖ）＝０．７３ｍＳｖ
となり、安全であるといわれている１ｍＳｖ以下となる。
【考案の効果】
【００１７】
本考案の入浴器具を浴槽に装着することで、ラジウム鉱石などの効能物と実際に接触する水の量が非常に多くなり、効能物の成分が浴槽全体の水に溶け出し、健康浴効果が高められる。
また、効能物には常に流れている水が接触するので汚れにくく、万一汚れて清掃が必要になっても、効能物を容易に取り出して清掃できる。
さらに、効能物の取り出し、設置が容易であるので、例えば効能物をラジウム鉱石からサルノコシカケに替えるなどの効能物の取り替えも容易となる。
【図面の簡単な説明】
【００１８】
【図１】実施例の入浴器具Ａを浴槽に取り付けた状態の断面説明図である。
【図２】入浴器具Ａの平面図である。
【図３】入浴器具Ａを浴槽に取り付けた状態の平面説明図である。
【図４】他の実施例の入浴器具Ｂを浴槽に取り付けた状態の断面説明図である。
【考案を実施するための形態】
【実施例】
【００１９】
図１〜３の入浴器具Ａは、揚水筒１、基板３、カバー４、電池ボッスク６などからなる。
基板３は、四辺形の板で、材質は金属、木、石、プラスチックなど自由に選択できる。中央付近に揚水筒１の上端を開口させるための穴が形成され、その穴よりも浴槽内側方向が、揚水筒で汲み上げた水を横方向に導く横引き部となり、その横引き部に効能物１０を設置（載置）するためのスペース、すなわち設置部３ａがある。また、穴よりも浴槽外側方向が電池ボックス６を載置するスペースとなっており、その裏側に浴槽１１に装着するための永久磁石７が固定（基板３が吸磁性の場合は磁力吸着、その他の場合は接着）されている。
【００２０】
揚水筒１は、円筒（四角筒、多角筒などでもよい）で、材質は金属、木、石、プラスチックなど自由に選択できる。その上端は、基板３の穴の部分に上端が開口するように固定（接着、溶接など）されている。下部には水中ポンプ２が内装され、下端に水中ポンプ２を保持するためのドーナツ状の底板１ａが着脱自在（ビス止めなど）に設けられている。
【００２１】
水中ポンプ２は、市販の小型のものを使用でき、特に、底面から吸い上げた水を、上部の排水部２ａから排水するタイプのものが好適である。水中ポンプ２を駆動するための電気コードは、揚水筒１の内部を通って電池ボックス６に接続される。
【００２２】
カバー４は四角形の箱型の一辺を切除した形状で、切除した一辺が吐出口５となる。材質は金属、木、石、プラスチックなど自由に選択できる。カバー４は、揚水筒１の上端開口及び効能物１０の全部又は一部を覆って基板３上に固定されている。揚水筒１で汲み上げられた水は、基板３とカバー４で囲まれた空間（横引き部）を通って吐出口５から吐出するが、その間に効能物１０に接触し、効能物１０の作用を受ける。
【００２３】
電池ボックス６は内部に電池を内蔵し、上面にＯＮスイッチ６ａ及びＯＦＦスイッチ６ｂを有する。完全防水仕様で、蓋（図示せず）を開けて電池交換できるようになっている。ＯＮスイッチ６ａ及びＯＦＦスイッチ６ｂで水中ポンプ２のＯＮ／ＯＦＦを切り替えることができる。
【００２４】
浴槽１１の周壁上面に、予め吸磁性板８（鉄板、吸磁性ステンレス板など）を接着固定しておき（浴槽が吸磁性の場合は不要）、図１に示すように、磁石７を吸磁性板８に磁力吸着させることで、入浴器具Ａを浴槽に装着する。このようにすることで、入浴器具Ａをワンタッチで浴槽１１に着脱できる。
【００２５】
ＯＮスイッチ６ａを押して水中ポンプ２を作動させると、浴槽１１内の水（湯）が揚水筒１内に汲み上げられ、横引き部を通って効能物１０に接触し、吐出口５から浴槽１１内に流れ込む。これにより、浴槽内の水が循環しながら効能物１０に接触するので、浴槽内のほとんどの水が効能物１０に接触してその作用を受けることになる。
【００２６】
図４の入浴器具Ｂは、前記の入浴器具Ａと比較して、浴槽への装着手段と電源が異なり、その他の構成は全く同じである。この場合の装着手段は、基板３の背面に設けた平行する２枚の縦板９である。縦板９で浴槽１１の周壁上部を挟み込むようにして浴槽に装着する。
電源は、家庭用電源を用い、水中ポンプ２からの電気コード２ｂは壁１２内部に引き込まれ、家庭用電源に接続される。ＯＮ／ＯＦＦスイッチ（図示せず）は、壁などの適宜の場所に設ける。
【００２７】
効能物１０は、設置部３ａに直接置いてもよいし、粒状物やハーブの葉のような場合は透水性の容器に入れて置いてもよい。
【符号の説明】
【００２８】
１  揚水筒
２  水中ポンプ
３  基板
３ａ  設置部
４  カバー
５  吐出口
６  電池ボッスク
７  永久磁石
８  吸磁性板
９  縦板
１０  効能物
１１  浴槽
１２  壁
【図１】
0003154974.tif 000003
【図２】
0003154974.tif 000004
【図３】
0003154974.tif 000005
【図４】
0003154974.tif 000006